(57)【要約】      （修正有）【課題】補整効果を損なうことなく、着用したまま排泄が可能な補整下着を提供する。【解決手段】 少なくともウエスト部、ガードル部とを有する一体形の補整下着であって、該ガードル部下端は大腿部に至っており、且つ、その股部分が開口している。ウエスト部背中部分に水平方向にスリットを設けたり、ウエスト部の前立て部分を切欠しスライドファスナーによって開閉するようにしたり、ウエスト部にアジャスター付き肩紐を付設する等しても良い。【選択図】図１
0003179055.tif 000002
【実用新案登録請求の範囲】
【請求項１】
少なくともウエスト部、ガードル部とを有する一体形の補整下着であって、該ガードル部下端は大腿部に至っており、且つ、その股部分が開口しているものであることを特徴とする補整下着。
【請求項２】
該ウエスト部背中部分に水平方向にスリットが設けられたものである請求項１記載の補整下着。
【請求項３】
ウエスト部の前立て部分が切欠されており、スライドファスナーによって開閉されているものである請求項１又は２記載の補整下着。
【請求項４】
ウエスト部には、アジャスター付き肩紐が付設されているものである請求項１、２又は３記載の補整下着。
【請求項５】
股部分の該開口の周縁は、ネットレース縫着による端処理がなされているものである請求項１、２、３又は４記載の補整下着。
【考案の詳細な説明】
【技術分野】
【０００１】
本考案は、補整効果を損なうことなく、着用したままの排泄が可能である補整下着の構造に関するものである。
【背景技術】
【０００２】
補整下着とは、体形の維持・改善機能を持つ下着のことである。歴史的には欧米で用いられたコルセットが最初であるとされておりこれはウエストを細くするためのものであるが、現在はウエストに限らず様々な部位を補整対象とする、ニッパー、ガードル、ボディスーツ、等々が多種多数出回っている。
【０００３】
そして肌着等の下着と異なり補整下着は宿命的に「窮屈」である。勿論、補整下着提供者（開発者）は、長期装用の妨げのなっているこの窮屈さを改善するため努力を怠ってはいない。体形の維持・改善機能を付与するには生地の伸縮性を小さくするのが基本であるが、窮屈さの改善にはこの基本が対立するため容易ではない。それでも近時の補整下着では、補整対象部位（例えば臀部）を分画し、各区画に伸縮性の異なる素材を配置するといったことがなされている。
【０００４】
その他、縫製方法、パーツの形状、等々にも工夫が凝らされているというのが現状であり、結果、僅かな忍耐力さえあれば多少長期の装用には耐えることができるという程度の補整下着は見られるようになってきている。つまり、装用時の苦痛は改善されつつあると言える。
【考案の概要】
【考案が解決しようとする課題】
【０００５】
ところが、窮屈さに起因する支障は装用時の苦痛だけではない。着脱の困難さも補整下着が忌避される理由の一つである。例えばボディスーツタイプの補整下着を装着した状態で便所に入り、用を足そうとすると、場合によって着衣の全てを脱いでしまわなければならないことがある。そして上述したように基本的に窮屈である補整下着は、簡単に脱ぐこともままならないので、用便に訪れた女性が便所内で悪戦苦闘する事態となってしまう。この点については、未だ解消された製品が出現していない。
【課題を解決するための手段】
【０００６】
そこで本考案者は上記諸点に鑑み種々検討を重ね、遂に本考案を成したものである。即ちその特徴とするところは、少なくともウエスト部、ガードル部とを有する一体形の補整下着であって、該ガードル部下端は大腿部に至っており、且つ、その股部分が開口している点にある。
【０００７】
ここで、「少なくともウエスト部、ガードル部とを有する一体形の補整下着」は本考案の分類若しくは概形を示すための文言である。補整下着には、胸部・腹部・臀部・大腿部等のいずれか一カ所のみを補整対象としたものや、全てを補整対象とするものの一体形ではないセパレートタイプと呼ばれるものがあるが、本考案においてはこれらは除外する。なお本明細書中で「ウエスト部」とは、胸下（アンダーバスト）から腰部までの高さ部分を指し、「ガードル部」とは腰部から臀部を越え大腿の中途（膝蓋骨には至らない）位置までの高さ部分を指すものとする。
また、「少なくとも」という表現は、ウエスト部、ガードル部以外に、ブラジャー部、上腕部、大腿部等も補整対象とする下着についてはこれを含む、ということをより明らかにするためのものである。
【０００８】
本考案補整下着は、ガードル部の股部分が開口している。この開口の存在により、使用者は補整下着を着用したままで、便所で用を足すことができる。開口は、そのためのものであるので当然ながら、目的に適った大きさ・構造のものである。即ち、便器に座った時に肛門及び陰部が充分に露出するものでなければならない。一方、開口部分（股部分）の補整効果は皆無であるので、単に大きくすれば良いというものでもない。股部中心から半径１００乃至１５０ｍｍの円形状、或いは長径・短径のいずれもがこのサイズに収まる楕円形状の開口が好ましい。またガードル部は大腿部の中途位置に至っている。これにより補整も大腿位置までカバーできることになるわけであるが、大腿部全体を覆うような（膝に達するような）下着であることを意味しているわけではなく、股位置で終わるタイプの下着ではない、という意味である。
なお、本考案補整下着を着用したままで用を足すことを可能とするため、当然ながら装着の順序は、まず本考案補整下着を着用した後に、肌着としての下穿き（ショーツ）を着用する、ということになる。
【０００９】
また、体形の維持・改善が目的である補整下着は、これを用いる女性の体形を極限的に締め付けるものであるので、食前食後の体形（ウエストサイズ）差、座ったり屈んだりすることによる体勢の変化、といった日々の体形変化、或いは体重の増減を始めとする中期長期的な体形変化に追従しにくい傾向にある。
日々の体形変化に追従しにくいと姿勢を変えるたびに苦痛を味わうことになり、中期長期的な体形変化に追従しにくいと高価であるにもかかわらず補整下着を頻繁に新調しなければならないことになる。これらが、結果として補整下着購入や継続使用をためらわせる一因となっている。
【００１０】
そこで請求項２において、ウエスト部背中部分に水平方向にスリットを設けた構造を提案した。一体形であるので、厳密には本考案補整下着の特に背中部分に関しては、ウエスト部、ガードル部の二区分に明確に分けられていない場合もあり得る。従って「ウエスト部背中部分」とは、典型的な女性において、腰の最もくびれた部分の水平外周のうち背中に相当する部分付近という意味である。
ここにスリットが設けられている。スリットとは、単なる切り込み以外に、細幅の開口も含むものとする。スリットの長さは、本考案者が試作実験した範囲では、５０乃至６０ｍｍが最適であったが、多少の増減は許容される。
スリットをこの部分に設けることで、上体を前屈させた時に拡がり、窮屈さを軽減させるという効果を生む。スリット孔の周囲を補強しても良い。
【００１１】
また補整下着は、乳房部分をカバーしないことが多い。これは、使用者が一般に希望する補整の形態が、他の部分（ウエストやヒップ）についてはサイズダウンを求める方向であるのに対し、ブラジャー部分だけはこの方向と逆であることが多いことに起因する。勿論、これが一般的であるというだけであり、ブラジャー部分も引き締めることを希望する者も少なからずおり、これに対応した補整下着も存在する。また、補整力をうまく調整することで、ブラジャー部に関しては使用者のカップサイズよりも１サイズ或いは２サイズほど大きなものが選択できるようになされた補整下着も存在している。
但し、胸形状の補整については単品としての「ブラジャー」に任せることが多いという点、乳房部が開放されたタイプの補整下着の場合胸下（アンダーバスト）が下着の上端となりここを締め付けることになり乳房を下方から支える構造となっている点、などが評価されていると推測されるが、乳房部分が存在しないタイプの補整下着が主流である。本考案補整下着もこれに準じ、ブラジャー部具有タイプの構造を権利範囲から特に除外はしないものとする。
【００１２】
請求項３においては、ウエスト部の前立て部分が切欠されており、スライドファスナーによって開閉されているという構造を提案した。前立てとは、本来はブラウスやシャツ等の前側のうちボタンで合わせる部位を言う。
請求項３において提案するのは、この部分がポロシャツのボタン部分のように縦に切欠されており、この部分にボタンではなくスライドファスナーが取設されているという構造である。「ウエスト部の前立て部分が切欠されており、スライドファスナーによって開閉されている」とはこのような構造のことをいう。
なお、既述したように本考案には、ブラジャー部を具備するものも含まれるが、その場合「ウエスト部の前立て部分」を切欠する場合、当然ながらこのブラジャー部の前立て部に相当する部分（左右のカップの間の中央部分）も切欠されることになる。
このスライドファスナーを開いた状態で下着を装着し始め、最後にスライドファスナーを閉じて装着を完了することとすれば、装着作業は非常に容易になる。特に、下着本体が上腕部にまで至っているものの場合には極めて良好である。
【００１３】
更に請求項４においては、ウエスト部にアジャスター付き肩紐が付設されているものを提案した。これによってサイズの微調整が適う。
【考案の効果】
【００１４】
本考案補整下着は、少なくともウエスト部、ガードル部とを有する一体形の補整下着であって、該ウエスト部背中部分に水平方向にスリットが設けられ、該ガードル部下端は大腿部に至っており、且つ、その股部分が開口しているものであることを特徴とするものであり、以下述べる如き効果を有する実用上極めて有用な考案である。
【００１５】
（１）  本考案補整下着を着用したまま用を足すことができるので、尿意・便意を催したときに迅速に対応できる。
（２）  ガードル部の股部分を切欠して開口させただけのシンプルな構造であるので、着用していて違和感がない。
【図面の簡単な説明】
【００１６】
【図１】本考案に係る補整下着の一例を示す概略斜視図である。
【図２】本考案に係る補整下着の一例の概略背面図である。
【考案を実施するための最良の形態】
【００１７】
以下図面に基づき本考案を更に詳細に説明する。
【実施例１】
【００１８】
図１は、本考案に係る補整下着１（以下「本考案下着１」という）の一例を示す概略斜視図である。図より明らかなように本考案下着１は、ウエスト部２、ガードル部３とを有するボディスーツタイプの補整下着である。
【００１９】
ウエスト部２には、肩紐２１が設けられており、エイトカン２２が付帯している。これにより長さ調節が可能である。なおアジャスター機能は、エイトカン以外の部材によって設けるようにしても良い（図示省略）。
またウエスト部２の前面中央上端位置には切り込みがありここにスライドファスナー２３が取り付けられている。更に本例では、裏面側に雄フック２４が配設された前立て２５が設けられておりこの雄フック２４を、本体側の雌フック２７に係合すると、スライドファスナー２３が隠れて見えなくなると共に、横方向の引っぱり力に対抗できる構造となっている。
【００２０】
なお通常、補整下着背中側の上端は、Ｖ字形にえぐられていることが多いが、本例ではこのえぐれ部分をできるだけ小さくすることで、更なる補整効果を図っている。そのために、背中側上端を直線に近いカーブとした。
【００２１】
ガードル部３は、使用者大腿部を一部覆うスリーブ３１を有するものであり、このスリーブ３１は、股下長さが約１５０ｍｍである。
そしてガードル部３の股位置には、開口３２が設けられている。この開口３２は、陰部と肛門部を完全に露出させる位置、大きさのものである。開口３２は立体的なものであるのでその大きさについて述べにくいが、仮に開口３２形状を布で作成しこの布を展開した場合、本例の場合およそ直径２５０ｍｍの円形となった。
開口３２の周縁には、ネットレース３３縫着による端処理がなされている。ネットレース３３に代えて、バイアステープによるパイピング処理を施しても良いが、パイピング処理の場合下着によって圧力を受けている皮膚部分と、圧力を受けない開口３２内との境界箇所にパイピングが配されることとなり、段差が生じて見苦しいし、赤くなったり、かゆみを訴える場合もある、といった問題発生の可能性はある。ネットレース３３採用の場合にはそうした支障発生の可能性が極めて低い。
【００２２】
図２は、本考案下着１の概略背面図である。背中の中央付近に水平方向に長さ約６０ｍｍのスリット２６が設けられている。
本例のスリット２６は、まず周縁部を糸で補強し、その後カッター刃で切り目を入れることで作製した。ボタンホールの作り方に近い方法である。しかし、このスリット２６を単なる切り目とはせず幅を持たせ、生地をくり抜くようにして作製しても良い。
本考案下着１に限らずボディスーツタイプの補整下着は、直立自然体という体勢でいるときに窮屈感が最小となるよう設計されることが多い。つまり直立自然体でなくなった時には窮屈感が増大するものであり、とりわけ前屈姿勢の場合には苦痛に近いものとなる。このスリット２６は、前屈の際に背中部分の生地が伸びるときに孔となって拡がることで窮屈感を軽減させる助けとなるものである。
【符号の説明】
【００２３】
１    本考案に係る補整下着
２    ウエスト部
２１  肩紐
２２  エイトカン
２３  スライドファスナー
２４  雄フック
２５  前立て
２６  スリット
２７  雌フック
３    ガードル部
３１  スリーブ
３２  開口
３３  ネットレース
【図１】
0003179055.tif 000003
【図２】
0003179055.tif 000004